(57)【要約】【課題】２台の印刷部の一方で印刷不能な状態又は印刷不能に近い状態になっても印刷を続行することができる。【解決手段】各々が記録媒体が搬入される搬入口４０及び搬入口４０から搬入された記録媒体を搬出する搬出口４２を備え、搬入口４０から搬入された記録媒体に対して片面印刷及び両面印刷が可能な２台の第１及び第２の印刷部１２、１３が、前段の第１の印刷部１２の搬出口４２から搬出された記録媒体が後段の第２の印刷部１３の搬入口４０に搬送されるように接続された印刷装置１１で印刷を実行中に第１及び第２の印刷部１２、１３の一方が印刷不能な状態又は印刷不能に近い状態になった場合に、印刷装置１１の印刷が停止されるように印刷装置１１を制御し、停止した印刷が他方の印刷部で再開され一方の印刷部では印刷が再開されないように制御する。【選択図】図１
2011203870.tif 000002
【特許請求の範囲】
【請求項１】
各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能な状態又は印刷不能に近い状態になった場合に、前記印刷装置の印刷が停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段
を備えた印刷制御装置。
【請求項２】
各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能に近い状態になった場合に、前記印刷装置の印刷が予め定められた時機が到来したときに停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段
を備えた印刷制御装置。
【請求項３】
前記印刷部の各々は、搬送された記録媒体を印刷する印刷機構が配設され、前記搬入口から搬入された記録媒体を前記搬出口側へ搬送する第１の搬送経路と、前記搬入口から搬入された記録媒体を前記第１の搬送経路を迂回して前記搬出口側へ搬送する第２の搬送経路とを備え、
前記制御手段は、前記第２の制御において、更に、前記一方の印刷部の前記搬入口に搬入された記録媒体が前記第２の搬送経路を介して前記一方の印刷部の前記搬出口へ搬送されるように前記一方の印刷部を制御する
請求項１又は請求項２に記載の印刷制御装置。
【請求項４】
前記制御手段は、利用者からの前記他方の印刷部で前記停止した印刷を再開させる指示に応じて前記第２の制御を行う
請求項１〜請求項３のいずれか１項記載の印刷制御装置。
【請求項５】
前記制御手段は、前記状態が検知されたときの時間帯、前記検知された状態の内容、及び前記印刷装置の操作履歴の少なくとも１つに応じて、利用者からの前記他方の印刷部で前記停止した印刷を再開させる指示に応じて前記第２の制御を行うか、又は前記利用者からの指示を待たずに前記第２の制御を行う
請求項１〜請求項３のいずれか１項記載の印刷制御装置。
【請求項６】
各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置と、
前記印刷装置で印刷を実行中に前記２台の印刷部の一方が印刷不能な状態又は印刷不能に近い状態になった場合に、前記印刷装置の印刷が停止されるように前記印刷装置を制御する第１の制御、及び前記第１の制御により停止した印刷が他方の印刷部で再開され前記一方の印刷部では印刷が再開されないように前記印刷装置を制御する第２の制御を行う印刷制御装置と、
を備えた印刷システム。
【請求項７】
各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置と、
前記印刷装置で印刷を実行中に前記２台の印刷部の一方が印刷不能に近い状態になった場合に、前記印刷装置の印刷が予め定められた時機が到来したときに停止されるように前記印刷装置を制御する第１の制御、及び前記第１の制御により停止した印刷が他方の印刷部で再開され前記一方の印刷部では印刷が再開されないように前記印刷装置を制御する第２の制御を行う印刷制御装置と、
を備えた印刷システム。
【請求項８】
コンピュータを、
各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能な状態又は印刷不能に近い状態になった場合に、前記印刷装置の印刷が停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段
として機能させるためのプログラム。
【請求項９】
コンピュータを、
各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能に近い状態になった場合に、前記印刷装置の印刷が予め定められた時機が到来したときに停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段
として機能させるためのプログラム。
【発明の詳細な説明】
【技術分野】
【０００１】
本発明は、印刷制御装置、印刷システム、及びプログラムに関する。
【背景技術】
【０００２】
無端状記録体上に現像されたトナー像を用紙の片面のみに転写して印字する機構部を１つだけ有するプリンタを、２台、用紙の表裏に無端状記録体の転写部が互いに対峙するように配し、用紙を反転することなく一方のプリンタの用紙出口から他方のプリンタの用紙入口に搬送せしめて、一方のプリンタで用紙の表面、他方のプリンタで用紙の裏面に連続的に印刷する構成を特徴とする両面印刷プリンタが知られている（特許文献１参照。）。
【先行技術文献】
【特許文献】
【０００３】
【特許文献１】特開平９−５４４６５号公報
【発明の概要】
【発明が解決しようとする課題】
【０００４】
本発明は、各々が記録媒体が搬入される搬入口及び搬入口から搬入された記録媒体を搬出する搬出口を備え、搬入口から搬入された記録媒体に対して片面印刷及び両面印刷が可能な２台の印刷部が、前段の印刷部の搬出口から搬出された記録媒体が後段の印刷部の搬入口に搬送されるように接続された印刷装置における２台の印刷部の一方で印刷不能な状態又は印刷不能に近い状態になっても印刷を続行することができる印刷制御装置、印刷システム、及びプログラムを提供することを目的とする。
【課題を解決するための手段】
【０００５】
請求項１の発明は、各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能な状態又は印刷不能に近い状態になった場合に、前記印刷装置の印刷が停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段を備えた印刷制御装置である。
【０００６】
請求項２の発明は、各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能に近い状態になった場合に、前記印刷装置の印刷が予め定められた時機が到来したときに停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段を備えた印刷制御装置である。
【０００７】
請求項３の発明は、請求項１又は請求項２に記載の印刷制御装置において、前記印刷部の各々は、搬送された記録媒体を印刷する印刷機構が配設され、前記搬入口から搬入された記録媒体を前記搬出口側へ搬送する第１の搬送経路と、前記搬入口から搬入された記録媒体を前記第１の搬送経路を迂回して前記搬出口側へ搬送する第２の搬送経路とを備え、前記制御手段は、前記第２の制御において、更に、前記一方の印刷部の前記搬入口に搬入された記録媒体が前記第２の搬送経路を介して前記一方の印刷部の前記搬出口へ搬送されるように前記一方の印刷部を制御する。
【０００８】
請求項４の発明は、請求項１〜請求項３のいずれか１項記載の印刷制御装置において、前記制御手段は、利用者からの前記他方の印刷部で前記停止した印刷を再開させる指示に応じて前記第２の制御を行う。
【０００９】
請求項５の発明は、請求項１〜請求項３のいずれか１項記載の印刷制御装置において、前記制御手段は、前記状態が検知されたときの時間帯、前記検知された状態の内容、及び前記印刷装置の操作履歴の少なくとも１つに応じて、利用者からの前記他方の印刷部で前記停止した印刷を再開させる指示に応じて前記第２の制御を行うか、又は前記利用者からの指示を待たずに前記第２の制御を行う。
【００１０】
請求項６の発明は、各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置と、前記印刷装置で印刷を実行中に前記２台の印刷部の一方が印刷不能な状態又は印刷不能に近い状態になった場合に、前記印刷装置の印刷が停止されるように前記印刷装置を制御する第１の制御、及び前記第１の制御により停止した印刷が他方の印刷部で再開され前記一方の印刷部では印刷が再開されないように前記印刷装置を制御する第２の制御を行う印刷制御装置と、を備えた印刷システムである。
【００１１】
請求項７の発明は、各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置と、前記印刷装置で印刷を実行中に前記２台の印刷部の一方が印刷不能に近い状態になった場合に、前記印刷装置の印刷が予め定められた時機が到来したときに停止されるように前記印刷装置を制御する第１の制御、及び前記第１の制御により停止した印刷が他方の印刷部で再開され前記一方の印刷部では印刷が再開されないように前記印刷装置を制御する第２の制御を行う印刷制御装置と、を備えた印刷システムである。
【００１２】
請求項８の発明は、コンピュータを、各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能な状態又は印刷不能に近い状態になった場合に、前記印刷装置の印刷が停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段として機能させるためのプログラムである。
【００１３】
請求項９の発明は、コンピュータを、各々が記録媒体が搬入される搬入口及び前記搬入口から搬入された記録媒体を搬出する搬出口を備え、前記搬入口から搬入された記録媒体に対して片面印刷及び両面印刷が可能な２台の印刷部が、前段の印刷部の前記搬出口から搬出された記録媒体が後段の印刷部の前記搬入口に搬送されるように接続された印刷装置で印刷を実行中に前記２台の印刷部の一方が印刷不能に近い状態になった場合に、前記印刷装置の印刷が予め定められた時機が到来したときに停止されるように前記印刷装置を制御する第１の制御、及び前記第１の制御により停止した印刷が他方の印刷部で再開され前記一方の印刷部では印刷が再開されないように前記印刷装置を制御する第２の制御を行う制御手段として機能させるためのプログラムである。
【発明の効果】
【００１４】
請求項１に記載の発明によれば、２台の印刷部の一方で印刷不能な状態又は印刷不能に近い状態になっても印刷を続行することができる。
【００１５】
請求項２に記載の発明によれば、２台の印刷部の一方で印刷不能に近い状態になってもすぐに印刷を停止せずに、例えば印刷停止前と印刷再開後の印刷品質に差が出てもよいように予め定めておいた時機が到来したときに印刷を停止して、他方の印刷部で印刷を再開させて続行することができる。
【００１６】
請求項３に記載の発明によれば、一方の印刷部で印刷を再開させない場合に、第２の搬送経路を介して記録用紙を搬出させることができる。
【００１７】
請求項４に記載の発明によれば、利用者の指示に応じて制御できる。
【００１８】
請求項５に記載の発明によれば、状況に応じた制御ができる。
【００１９】
請求項６に記載の発明によれば、２台の印刷部の一方で印刷不能な状態又は印刷不能に近い状態になっても印刷を続行することができる。
【００２０】
請求項７に記載の発明によれば、２台の印刷部の一方で印刷不能に近い状態になってもすぐに印刷を停止せずに、例えば印刷停止前と印刷再開後の印刷品質に差が出てもよいように予め定めておいた時機が到来したときに印刷を停止して、他方の印刷部で印刷を再開させて続行することができる。
【００２１】
請求項８に記載の発明によれば、２台の印刷部の一方で印刷不能な状態又は印刷不能に近い状態になっても印刷を続行することができる。
【００２２】
請求項９に記載の発明によれば、２台の印刷部の一方で印刷不能に近い状態になってもすぐに印刷を停止せずに、例えば印刷停止前と印刷再開後の印刷品質に差が出てもよいように予め定めておいた時機が到来したときに印刷を停止して、他方の印刷部で印刷を再開させて続行することができる。
【図面の簡単な説明】
【００２３】
【図１】第１の実施の形態に係る印刷システムの構成と第１の印刷部及び第２の印刷部のメカ的な構成とを示す図である。
【図２】メインコントローラの構成の一例を示す図である。
【図３】第１の印刷部及び第２の印刷部の全体構成の一例を示す図である。
【図４】メインコントローラで実行される処理ルーチンの一例を示すフローチャートである。
【図５】メインコントローラで実行される処理ルーチンの一例を示すフローチャートである。
【図６】メインコントローラで実行される処理ルーチンの一例を示すフローチャートである。
【図７】メインコントローラで実行される処理ルーチンの一例を示すフローチャートである。
【図８】メインコントローラで実行される処理ルーチンの一例を示すフローチャートである。
【図９】メインコントローラで実行される処理ルーチンの一例を示すフローチャートである。
【図１０】メインコントローラで実行される処理ルーチンの一例を示すフローチャートである。
【図１１】メインコントローラで実行される処理ルーチンの一例を示すフローチャートである。
【図１２】第２の実施の形態に係る印刷システムの構成と第１の印刷部及び第２の印刷部のメカ的な構成とを示す図である。
【図１３】第２の実施の形態に係る第１の印刷部及び第２の印刷部の各々の全体構成の一例を示す図である。
【発明を実施するための形態】
【００２４】
以下、図面を参照して、実施の形態について詳細に説明する。
【００２５】
［第１の実施の形態］
【００２６】
図１は、本実施の形態に係る印刷システムの構成を示す図である。本実施の形態に係る印刷システムは、印刷制御装置としてのメインコントローラ１０と、第１の印刷部１２及び第２の印刷部１３を含む印刷装置１１とを有している。なお、図１には、第１の印刷部１２及び第２の印刷部１３のメカ的な構成も示されている。
【００２７】
メインコントローラ１０は、不図示の端末装置から受信した（例えばページ記述言語等により記述された）印刷情報を解析し、印刷装置１１での印刷に用いられる画像データ（ラスターデータ）を生成（ＲＩＰ処理：Raster Image Process）して、印刷装置１１の第１の印刷部１２及び第２の印刷部１３に出力する。また、メインコントローラ１０は、印刷装置１１の印刷動作を制御する制御信号を生成して出力する。
【００２８】
図２は、メインコントローラ１０の構成の一例を示す図である。
【００２９】
本実施の形態のメインコントローラ１０は、ＣＰＵ（Central Processing Unit）２０、ＲＯＭ（Read Only Memory）２１、ＲＡＭ（Random Access Memory）２２、ＩＦ（Interface）２３、画像処理部２４、ＨＤＤ（Hard Disk Drive）２５、表示部２６、及び操作部２７がバス３８を介して接続されて構成されている。
【００３０】
ＣＰＵ２０は、ＲＯＭ２１やＨＤＤ２５に記憶されているプログラム（例えば、後述する図４から図１１までの処理ルーチンのプログラム）を実行し、メインコントローラ１０全体の動作を制御する。ＲＯＭ２１には、ＣＰＵ２０が実行するプログラムやＣＰＵ２０の処理に必要なデータ等が記憶されている。ＲＯＭ２１は、ワークメモリとして使用される。また、ＲＯＭ２１にはＲＩＰ処理により生成された画像データを記憶するイメージメモリとしての領域も設けられている。
【００３１】
ＨＤＤ２５には、ＣＰＵ２０が実行するプログラムや各種データが記憶されている。
【００３２】
なお、ＣＰＵ２０が実行するプログラムを記憶するための記憶媒体は、ＨＤＤ２５やＲＯＭ２１に限定されない。例えば、フレキシブルディスクやＤＶＤディスク、光磁気ディスクやＵＳＢメモリ（ユニバーサルシリアルバスメモリ）等（不図示）であってもよいし、ネットワークや通信回線などの通信手段を介して接続された他の装置の記憶装置であってもよい。
【００３３】
ＩＦ２３は、印刷装置１１の第１の印刷部１２及び第２の印刷部１３に接続するためのインタフェースである。
【００３４】
画像処理部２４は、前述したＲＩＰ処理を含む様々な画像処理を行う。
【００３５】
表示部２６は、例えば、液晶ディスプレイ等により構成され、ＣＰＵ２０の制御により各種画像やメッセージ等を表示する。また、操作部２７は、例えば、キーボードやマウス等により構成され、利用者が操作部２７を操作することより各種情報が指定される。
【００３６】
印刷装置１１は、メインコントローラ１０から出力された画像データ及び制御信号に基づいて印刷を行う。
【００３７】
第１の印刷部１２及び第２の印刷部１３の各々は、記録媒体としての記録用紙が搬入される搬入口４０及び搬入口４０から搬入された記録用紙を搬出する搬出口４２を備え、前段に設けられた第１の印刷部１２の搬出口４２から搬出された記録用紙が後段に設けられた第２の印刷部１３の搬入口４０に搬送されるように接続されている。
【００３８】
第１の印刷部１２の前段には給紙部５０が設けられ、給紙部５０から第１の印刷部１２の搬入口４０に記録用紙が搬入される。また、第２の印刷部１３の後段には排紙部５２が設けられ、第２の印刷部１３の搬出口４２から搬出された記録用紙が収納される。
【００３９】
図３は、印刷装置１１の第１の印刷部１２及び第２の印刷部１３の全体構成の一例を示す図である。第１の印刷部１２及び第２の印刷部１３は各々同じ構成であるため、ここでは第１の印刷部１２を代表して説明する。
【００４０】
第１の印刷部１２は、ＩＦ(Interface)３０、制御部３１、画像形成部３２、用紙搬送部３３、検知部３４、及びＵＩ(User Interface)３５を備えている。
【００４１】
ＩＦ３０は、メインコントローラ１０と接続するためのインタフェースである。
【００４２】
制御部３１は、ＩＦ３０を介してメインコントローラ１０から入力された画像データや制御信号に基づいて、第１の印刷部１２の印刷動作を制御する。なお、制御部３１は、例えばＡＳＩＣ（Application Specific Integrated Circuit）により構成されていてもよいし、ＣＰＵにより構成されていてもよいし、ＡＳＩＣ及びＣＰＵの双方を含んで構成されていてもよい。
【００４３】
画像形成部３２は、搬送された記録用紙に画像を形成する（すなわち、印刷する）印刷機構部であって、図１に示すように、感光体１を帯電器２により帯電し、該帯電された感光体１を露光装置２で画像データに基づいて露光し、該露光により生成された静電潜像を現像器４によりトナーを用いて現像し、該現像した画像を記録用紙に転写器５により転写して、該転写した画像を加熱ロール及び加圧ロールを有する定着器６により定着する電子写真方式の画像形成部であってもよいし、画像データに基づいて記録媒体にインク滴を吐出するインクジェット方式の画像形成部であってもよい。また、複数色のトナーを用いてカラーの画像を形成する画像形成部であってもよい。また、転写ベルトを用いて、現像された画像の一次転写を行ってから、該転写ベルトから記録用紙に二次転写を行う画像形成部３２であってもよい。
【００４４】
用紙搬送部３３は、複数の搬送ローラ或いは搬送ベルト等を含んで構成され、記録用紙を搬送する。
【００４５】
なお、第１の印刷部１２において、用紙搬送部３３により記録用紙が搬送される経路には、途中に画像形成部３２が配設され、搬入口４０から搬入された記録用紙が搬出口４２側へ搬送される第１の搬送経路４４と、画像形成部３２で印刷された記録用紙を再度第１の搬送経路４４に送り込むための反転搬送経路４６とがある。
【００４６】
第１の印刷部１２で片面印刷を行う場合には、第１の搬送経路４４に配設された画像形成部３２で記録用紙を印刷してそのまま搬出口４２から搬出されるが、第１の印刷部１２で両面印刷を行う場合には、まず表面を印刷した後、用紙搬送部３３に含まれる用紙反転部３３ａで、表面が印刷された記録用紙を反転させ、反転搬送経路４６に該反転させた記録用紙を送り込み、反転搬送経路４６から再度第１の搬送経路４４に記録用紙を搬送して裏面を印刷する。
【００４７】
検知部３４は、第１の印刷部１２に設けられた消耗品の残量（もしくは使用量）、及び交換部品の使用実績量を検知する（図１では不図示）。消耗品とは、例えば、現像器４の現像に用いられるトナー、印刷物を綴じるステープルの針等をいう。また、交換部品とは、例えば、使用済みのトナーが溜まるトナー回収ボトル、感光体１、定着器６のクリーニングウェブ（布状部材）、転写ベルト、定着器６の加熱ロール等をいう。
【００４８】
なお、感光体１や定着器６のクリーニングウェブも広義では消耗品ではあるが、本実施の形態では、使用により量が減少するものを消耗品と呼称し、劣化や容量満杯のため交換が必要となるものを交換部品と呼称する。
【００４９】
検知方法であるが、例えば、トナーについては、センサにより残量を検知する。検知結果は不図示のメモリに記憶される。感光体１等の交換部品については、予め交換部品の各々に対応するカウンタが設けられており、交換されてから何枚印刷されたかをカウントし、このカウント値を使用実績量として検知している。カウント値は不図示のメモリに記憶される。なお、ステープルの針の使用量についても、同様にカウントするようにしている。なお、交換部品を交換してからの印刷枚数の累積値（上記カウント値）が、交換部品毎に予め定められた上限値に到達すると、交換部品が寿命に達したとされる。
【００５０】
なお、検知部３４で検知される対象はこれらに限定されず、他の消耗品の残量や使用量、他の交換部品の使用実績量が含まれていてもよいし、上記のうち、少なくとも１つであってもよい。
【００５１】
ＵＩ３５は、例えばディスプレイ上にタッチパネルが重ねられたタッチパネルディスプレイ、及び操作ボタン等から構成される（図１では不図示）。ＵＩ３５には、各種情報が表示され、また利用者が操作することにより様々な情報や設定が入力される。
【００５２】
なお、この印刷装置１１で、第１の印刷部１２で記録用紙の表面を印刷し、第２の印刷部１３で記録用紙の裏面を印刷させることにより両面印刷を行う場合には、第１の印刷部１２で表面を印刷した後、第１の印刷部１２の用紙反転部３３ａで用紙を反転させて反転搬送経路４６から再度第１の搬送経路４４を介して記録用紙を搬送させて搬出口４２から搬出し、第２の印刷部１３の搬入口４０に搬入させて、第２の印刷部１３で記録用紙の裏面を印刷するように制御される。
【００５３】
次に、本実施の形態における印刷制御の流れを説明する。
【００５４】
メインコントローラ１０は、端末装置から印刷情報を受信すると、受信した印刷情報に基づいてＲＩＰ処理を行う。ＲＩＰ処理により生成された画像データや、第１の印刷部１２及び第２の印刷部１３を同期させて印刷させるための制御信号は、印刷装置１１の第１の印刷部１２及び第２の印刷部１３の各々の制御部３１に出力される。なお、第１の印刷部１２及び第２の印刷部１３のいずれか一方の印刷部で印刷を行わせる場合には、ＲＩＰ処理により生成された画像データは印刷を行わせる印刷部に出力される。印刷装置１１では、メインコントローラ１０からの画像データ及び制御信号に基づいて印刷を実行する。また、メインコントローラ１０は、予め定められた時間間隔毎に印刷装置１１の第１の印刷部１２及び第２の印刷部１３の各々の制御部３１に対して、検知部３４の検知結果を要求する。第１の印刷部１２及び第２の印刷部１３の制御部３１は、該要求に応じて、検知結果を記憶したメモリから検知結果を読み出してメインコントローラ１０に通知する。
【００５５】
印刷装置１１で印刷が開始されると、メインコントローラ１０は、図４に示す処理ルーチンを開始する。
【００５６】
ステップ１００では、印刷装置１１の第１の印刷部１２及び第２の印刷部１３の各々の制御部３１から受け取った検知部３４の検知結果に基づいて、第１の印刷部１２及び第２の印刷部１３のいずれか一方の印刷部が印刷不能な状態になったか否かを判定する。本実施の形態において、印刷不能な状態とは、消耗品の少なくとも１つが消耗品の残量が０になった、又は、消耗品の使用量がその残量が０になる使用量となった状態か、交換部品の少なくとも１つが寿命に達した状態の少なくとも一方の状態をいう。
【００５７】
ステップ１００で否定判定した場合には、検知部３４に対して検知結果を要求する次のタイミングまで待ち状態を継続する。
【００５８】
ステップ１００で肯定判定した場合には、ステップ１１０に進み、印刷装置１１での印刷を停止させる。
【００５９】
ステップ１２０では、第１の印刷部１２及び第２の印刷部１３の内部に残留している記録用紙を、各々の用紙搬送部３３を動作させて第１の印刷部１２及び第２の印刷部１３の各々に設けられているパージ部（不図示）に排出し、他方の印刷部で、排紙部５２に印刷が停止される前に排出された記録用紙のうち最後に排出された記録用紙に印刷されたページの１つ後のページから印刷が再開されるよう画像データ及び制御信号を出力し、上記印刷不能な状態と判定された一方の印刷部では印刷が再開されないように制御信号を出力する。
【００６０】
具体的には、第１の印刷部１２及び第２の印刷部１３の一方で片面印刷をしており、他方では記録用紙を搬送するだけで印刷は行っていなかった状態で、該片面印刷をしていた印刷部が印刷不能となった場合には、該片面印刷を他方の印刷部で行わせ、該一方の印刷部は記録用紙の搬送だけを行わせ且つ印刷は行わせないよう制御する。
【００６１】
また、第１の印刷部１２及び第２の印刷部１３の２台の印刷部を用いて両面印刷していた場合において、一方の印刷部が印刷不能な状態となったときには、他方の印刷部で用紙反転部３３ａを用いて両面印刷させ、該一方の印刷部は記録用紙の搬送だけを行わせ且つ印刷は行わせないよう制御する。
【００６２】
これにより、他方の印刷部では、画像形成部３２及び用紙搬送部３３が動作して、印刷が行われ、一方の印刷部では、画像形成部３２は動作せず、用紙搬送部３３だけが動作して用紙搬送が行われる。
【００６３】
ステップ１３０では、上記端末装置から受信した印刷情報に基づいた印刷が終了したか否かを判定し、終了した場合には、本処理ルーチンを終了する。
【００６４】
なお、印刷制御の流れは図４に示した処理ルーチンに限定されない。例えば、図５に示す処理ルーチンを実行してもよい。なお、図５において、図４と同様の処理を行うステップについては図４と同一のステップ番号を付して、詳細な説明を省略する。 
【００６５】
ステップ１００で肯定判定して、ステップ１１０で印刷を停止した後は、ステップ１１２に進む。
【００６６】
ステップ１１２では、メインコントローラ１０の表示部２６に、一方の印刷部が印刷不能な状態となった旨の警告を表示する。なお、このとき、印刷不能な状態の内容、例えば、残量が０になった消耗品の種類、交換時期が到来した交換部品の種類、等を報知するようにしてもよい。また、印刷不能な状態と判定された印刷部のＵＩ３５に警告を表示するようにしてもよい。
【００６７】
ステップ１１３では、印刷不能な状態と判定された一方の印刷部が印刷続行可能な状態になったか否かを判定する。例えば、上記警告に応じて、消耗品の補充が完了した、交換時期が到来した交換部品が交換された場合には、印刷続行可能な状態になったと判定する。なお、消耗品が補充された場合及び交換部品が交換された場合には、検知部３４でそれを検知し、制御部３１がその旨をメインコントローラ１０に通知する。ステップ１１３で、肯定判定した場合には、ステップ１１６に進む。
【００６８】
ステップ１１６では、印刷停止前に動作させていた印刷部で、停止させた印刷を再開させるよう制御信号を出力する。具体的には、例えば、印刷停止前に第１の印刷部１２及び第２の印刷部１３で両面印刷していた場合には、第１の印刷部１２及び第２の印刷部１３で、停止させた印刷を再開させる。また、例えば、印刷停止前に第１の印刷部１２及び第２の印刷部１３の一方で印刷していた場合には、印刷していた一方の印刷部で、停止した印刷を再開させる。
【００６９】
また、ステップ１１３で否定判定した場合には、ステップ１１４で、メインコントローラ１０の操作部２７を介して、利用者から他方の印刷部で印刷させる指示があったか否かを判定する。ステップ１１４で肯定判定した場合には、ステップ１２０で、上記停止した印刷が他方の印刷部で再開され、一方の印刷部では印刷が再開されないように制御する。ステップ１１４で否定判定した場合には、ステップ１１３に戻る。
【００７０】
ステップ１１６及びステップ１２０の後は、ステップ１３０に進み、上記端末装置から受信した印刷情報に基づいた印刷が終了したか否かを判定し、終了した場合には、本処理ルーチンを終了する。
【００７１】
また、図６に示す処理ルーチンを実行してもよい。なお、図６において、図４及び図５と同様の処理を行うステップについては図４及び図５と同一のステップ番号を付して、詳細な説明を省略する。 
【００７２】
ステップ１００からステップ１１３までは、図５と同様の処理であるため、説明を省略する。
【００７３】
ステップ１１４で否定判定した場合には、ステップ１１５に進み、警告を表示してから予め定められた時間が経過したか否かを判定する。なお、この時間は、利用者が予め設定しておいてもよいし、装置毎に固定としてもよい。ステップ１１５で否定判定した場合には、ステップ１１３に戻る。また、ステップ１１５で肯定判定した場合には、ステップ１２０に進み、上記停止した印刷が他方の印刷部で再開され、一方の印刷部では印刷が再開されないように制御する。
【００７４】
また、上記では、一方の印刷部が印刷不能な状態になったと判定した場合に、印刷を停止する例について説明したが、これに限定されず、例えば、図７に示す処理ルーチンを実行するようにしてもよい。なお、図７において、図４と同様の処理を行うステップについては図４と同一のステップ番号を付して、詳細な説明を省略する。 
【００７５】
ステップ１０２では、印刷装置１１の第１の印刷部１２及び第２の印刷部１３の各々の制御部３１から受け取った検知部３４の検知結果に基づいて、第１の印刷部１２及び第２の印刷部１３のいずれか一方の印刷部が印刷不能に近い状態になったか否かを判定する。本実施の形態において、印刷不能に近い状態とは、消耗品の少なくとも１つの残量が、消耗品に応じて予め定められた下限値に到達した状態、交換部品の少なくとも１つの使用実績量が、交換部品に応じて予め定められた値（ただし寿命と判定される上限値より小さい値）に到達した状態の少なくとも１つの状態をいう。
【００７６】
ステップ１０２で否定判定した場合には、次に検知部３４に対して検知結果を要求するタイミングまで待ち状態を継続する。
【００７７】
ステップ１０２で肯定判定した場合には、ステップ１０４で、印刷停止タイミングが到来したか否かを判定する。例えば、印刷停止前と印刷再開後とで印刷を行う印刷部が異なると、印刷品質に差が出る場合がある。従って、端末装置から受信した印刷情報に基づいて複数ページ分の（すなわち、印刷する記録用紙が複数枚数となる）画像データが生成され、この画像データに基づいて印刷する場合に、複数ページの印刷途中で印刷を停止して印刷する印刷部を切替えるよりは、上記受信した印刷情報に基づく印刷が完了した後に停止して、次の印刷情報に基づく印刷を開始するときに印刷部を切替える方が、印刷品質が印刷停止前と後とでばらついても、影響が小さい。また、複数の部数を印刷する場合に、部数の切れ目で切替える方が、印刷停止前と後とでばらついたとしても、ばらつきが目立たない。
【００７８】
そこで、印刷停止前と印刷再開後の印刷品質に差が出てもよいように予め印刷停止タイミングを定めておき、印刷停止タイミングが到来するまで待って、該印刷停止タイミングが到来したところで印刷を停止するようにしている。印刷停止タイミングは、予め利用者が設定しておいてもよい。
【００７９】
ステップ１０４で肯定判定した場合には、ステップ１１０に進み、印刷装置１１での印刷を停止させる。
【００８０】
ステップ１２０では、上記停止した印刷が他方の印刷部で再開され、一方の印刷部では印刷が再開されないように制御する。
【００８１】
また、図８に示す処理ルーチンを実行してもよい。なお、図８において、図４、図５、及び図７と同様の処理を行うステップについては図４、図５、及び図７と同一のステップ番号を付して、詳細な説明を省略する。 
【００８２】
ステップ１０２で肯定判定した場合には、ステップ１０４で、印刷停止タイミングが到来したか否かを判定する。
【００８３】
ステップ１０４で肯定判定した場合には、ステップ１１０に進み、印刷装置１１での印刷を停止させる。
【００８４】
ステップ１１２では、警告を表示する。
【００８５】
ステップ１１３では、印刷不能な状態と判定された一方の印刷部が印刷続行可能な状態になったか否かを判定する。ステップ１１３で、肯定判定した場合には、ステップ１１６に進む。
【００８６】
ステップ１１６では、印刷停止前に動作させていた印刷部で、停止させた印刷を再開させるよう制御信号を出力する。
【００８７】
また、ステップ１１３で否定判定した場合には、ステップ１１４で、利用者から他方の印刷部で印刷させる指示があったか否かを判定する。ステップ１１４で肯定判定した場合には、ステップ１２０で、上記停止した印刷が他方の印刷部で再開され、一方の印刷部では印刷が再開されないように制御する。ステップ１１４で否定判定した場合には、ステップ１１３に戻る。
【００８８】
ステップ１１６及びステップ１２０の後は、ステップ１３０に進み、上記端末装置から受信した印刷情報に基づいた印刷が終了したか否かを判定し、終了した場合には、本処理ルーチンを終了する。
【００８９】
また、図９に示す処理ルーチンを実行してもよい。なお、図９において、図４から図８と同様の処理を行うステップについては図４から図８と同一のステップ番号を付して、詳細な説明を省略する。 
【００９０】
ステップ１０２からステップ１１３までは、図８と同様の処理であるため、説明を省略する。
【００９１】
ステップ１１４で否定判定した場合には、ステップ１１５に進み、警告を表示してから予め定めた時間が経過したか否かを判定する。ステップ１１５で否定判定した場合には、ステップ１１３に戻る。また、ステップ１１５で肯定判定した場合には、ステップ１２０に進み、上記停止した印刷が他方の印刷部で再開され、一方の印刷部では印刷が再開されないように制御する。
【００９２】
なお、図４、図５、及び図６において、ステップ１００の判定に代えて、図７等を用いて説明したステップ１０２の判定を行ってもよい。すなわち、印刷不能な状態になったと判定した場合に印刷を停止するのではなく、印刷不能に近い状態になったと判定した場合に印刷を停止するようにしてもよい。
【００９３】
また、図１０に示す処理ルーチンを行ってもよい。なお、図１０において、図４、図５、及び図６と同様の処理を行うステップについては図４、図５、及び図６と同一のステップ番号を付して、詳細な説明を省略する。 
【００９４】
ステップ１００で肯定判定した場合には、ステップ１１０に進み、印刷装置１１での印刷を停止させる。
【００９５】
ステップ１１１では、印刷する印刷部の切替えを自動で行うか、手動で行うかを判断する。なお、ここで、印刷する印刷部の切替えを自動で行う（自動切替え）とは、利用者の指示を待たず、他方の印刷部で印刷を再開させることをいい、印刷する印刷部の切替えを手動で行う（手動切替え）とは、利用者の指示を待って、指示に応じて他方の印刷部で印刷を再開させることをいう。
【００９６】
例えば、夜間の時間帯は自動切替えを行い、昼間の時間帯は手動切替えとなるように判定するようにしてもよいし、トナー補充のようにオペレータがすぐに自ら行って印刷続行可能な状態にできる場合には手動切替えを行い、部品交換のようにサービスエンジニアの作業が必要となる場合には自動切替えとなるように判定してもよい。また、各第１の印刷部１２及び第２の印刷部１３に対する操作履歴や、メインコントローラ１０に対する操作履歴を保存しておき、該操作履歴が、例えば、印刷を停止する直前の予め定められた時間、第１の印刷部１２及び第２の印刷部１３に対する操作、或いはメインコントローラ１０に対する操作がされたことを示していた場合には、印刷装置１１の側に人がいると判断できるため、そうした場合には手動切替えすると判定し、印刷を停止する前の予め定められた時間、何らの操作もされていなければ、人が側にいないと判断できるため、自動切替えすると判定するようにしてもよい。
【００９７】
ステップ１１１で、自動と判定した場合には、ステップ１２０に進み、上記停止した印刷が他方の印刷部で再開され、一方の印刷部では印刷が再開されないように制御する。
【００９８】
また、ステップ１１１で、手動と判定した場合には、ステップ１１２以降の処理を行う。これ以降の処理は、図５や図８と同様であるため説明を省略する。
【００９９】
また、図１１に示す処理ルーチンを行ってもよい。なお、図１１において、図４、図５、図６、及び図１０と同様の処理を行うステップについては図４、図５、図６、及び図１０と同一のステップ番号を付して、詳細な説明を省略する。 
【０１００】
ステップ１００からステップ１１３までは、図１０と同様の処理であるため、説明を省略する。
【０１０１】
ステップ１１４で否定判定した場合には、ステップ１１５に進み、警告を表示してから予め定められた時間が経過したか否かを判定する。なお、この時間は、利用者が予め設定しておいてもよいし、装置毎に固定としてもよい。ステップ１１５で否定判定した場合には、ステップ１１３に戻る。また、ステップ１１５で肯定判定した場合には、ステップ１２０に進み、上記停止した印刷が他方の印刷部で再開され、一方の印刷部では印刷が再開されないように制御する。
【０１０２】
なお、図１０、及び図１１の処理ルーチンおいて、ステップ１００の判定に代えて、図７等を用いて説明したステップ１０２の判定を行ってもよい。すなわち、印刷不能な状態になったと判定した場合に印刷を停止するのではなく、印刷不能に近い状態になったと判定した場合に印刷を停止するようにしてもよい。また、更に、図１０及び図１１の処理ルーチンにおいて、ステップ１００の判定に代えて、図７等を用いて説明したステップ１０２の判定を行い、ステップ１０２の後に、ステップ１０４に示すように印刷停止タイミングまで待って、ステップ１１０以降の処理を行うようにしてもよい。
【０１０３】
［第２の実施の形態］
【０１０４】
図１２は、本実施の形態に係る印刷システムの構成と、第１の印刷部及び第２の印刷部のメカ的な構成とを示す図である。本実施の形態に係る印刷システムも、第１の実施の形態と同様に、メインコントローラ１０と、第１の印刷部１２及び第２の印刷部１３を含む印刷装置１１とを有している。また、図１３は、本実施の形態に係る印刷装置１１の第１の印刷部１２及び第２の印刷部１３の全体構成の一例を示す図である。
【０１０５】
図１２に示すように、本実施の形態の、第１の印刷部１２及び第２の印刷部１３の各々には、第１の搬送経路４４及び反転搬送経路４６とは異なる搬送経路である第２の搬送経路４８が設けられている。第２の搬送経路４８は、搬入口４０から搬入された記録用紙を第１の搬送経路４４を迂回して搬出口４２側へ搬送する搬送経路である。
【０１０６】
また、図１２及び図１３に示すように、第１の印刷部１２及び第２の印刷部１３の各々には、搬入口４０から搬入された記録用紙の搬出口４２への搬送を第１の搬送経路４４を介して行うのか、第２の搬送経路４８を介して行うのかを切替える切替器３６が設けられている。切替器３６は、第１切替器３６ａ及び第２切替器３６ｂを含む。第１切替器３６ａは、搬入口４０から搬送された記録用紙を第１の搬送経路４４に搬入させる第１の状態と、反転搬送経路４６に搬入させる第２の状態とに切り替わる。第２切替器３６ｂは、第１の搬送経路４４を介して搬送された記録用紙を搬出口４２に搬送する第１の状態と、第２の搬送経路４８を介して搬送された記録用紙を搬出口４２に搬送する第２の状態と、に切り替わる。この切替えは、メインコントローラ１０からの制御信号に応じて、制御部３１が行う。
【０１０７】
この印刷システムでも、第１の実施の形態で、図４から図１１を用いて説明した印刷制御が行われる。ただし、本実施の形態では、各処理ルーチンのステップ１２０で、メインコントローラ１０は更に、以下の制御を行う。
【０１０８】
一方の印刷部では記録用紙の搬送だけを行わせ且つ印刷が再開されないように制御する際、一方の印刷部の画像形成部３２を動作させないだけでなく、切替器３６を切替えて、一方の印刷部の搬入口４０に搬入された記録用紙が第２の搬送経路４８を介して一方の印刷部の搬出口４２へ搬送されるように制御信号を出力する。すなわち、第１切替器３６ａを第２の状態に切替えると共に、第２切替器３６ｂを第２の状態に切替え、記録用紙が第２の搬送経路４８を搬送されるように用紙搬送部３３を動作させる。
【０１０９】
これにより、他方の印刷部で印刷を実行させている期間も、一方の印刷部の消耗品の補充や交換部品の交換が可能となり、例えば、一方の印刷部で消耗品の補充や交換部品の交換中でも、他方の印刷部で印刷を実行させ、一方の印刷部の消耗品の補充や交換部品の交換が終了次第、（両面印刷の場合には）第１の印刷部１２及び第２の印刷部１３での印刷を再開するように制御してもよい。すなわち、図５や図６のステップ１２０で他方の印刷部で印刷を再開した後もステップ１１３に戻り、ステップ１１３で一方の印刷部が印刷続行可能になったかを判定して、肯定判定したら一旦印刷を停止してステップ１１６を実行させるようにしてもよい。
【０１１０】
また、第１の実施の形態では、消耗品の少なくとも１つの残量が０になった状態か、交換部品の少なくとも１つが寿命に到達した状態の少なくとも一方の状態を印刷不能な状態として、ステップ１００での判定を行うようにしたが、本実施の形態では、更に、上記状態に加えて、第１の印刷部１２及び第２の印刷部１３のいずれか一方の印刷部で第１の搬送経路４４及び反転搬送経路４６の少なくとも一方で記録用紙が詰まった状態になった場合も、印刷不能な状態になったと判定してもよい。また、第１の印刷部１２及び第２の印刷部１３のいずれか一方の印刷部で第１の搬送経路４４及び反転搬送経路４６の少なくとも一方で記録用紙が詰まった状態になった場合だけを、印刷不能な状態になったと判定してもよい。また、画像形成部３２が故障した場合も、一方の印刷部が印刷不能な状態になったと判定してもよい。検知部３４は、記録用紙が詰まった場合及び画像形成部３２が故障した場合にはこれを検知して、メインコントローラ１０に通知する。メインコントローラ１０は、この通知に基づいて判定する。
【０１１１】
なお、この場合において、図５、及び図６のステップ１１０の後、ステップ１１３の前に、第１の印刷部１２及び第２の印刷部１３の内部に残留している記録用紙を、各々の用紙搬送部３３を動作させて第１の印刷部１２及び第２の印刷部１３の各々に設けられているパージ部（不図示）に排出し、ステップ１１３では、詰まってしまった記録用紙等、パージ部に排出できなかった記録用紙が取り除かれたところで、肯定判定されるようにしてもよい。
【０１１２】
また、図５や図６のステップ１２０で他方の印刷部で印刷を再開した後もステップ１１３に戻り、ステップ１１３で一方の印刷部が印刷続行可能になったかを判定して、肯定判定したら一旦印刷を停止してステップ１１６を実行させるようにしてもよい。
【０１１３】
また、印刷不能な状態及び印刷不能に近い状態の双方を判定して制御するようにしてもよい。例えば、印刷不能な状態を、第１の搬送経路４４或いは反転搬送経路４６において記録用紙が詰まった状態、及び画像形成部３２が故障した状態の少なくとも一方の状態として図４から図６、図１０、及び図１１の処理ルーチンのいずれかを行うと共に、これとは別に、印刷不能に近い状態を、消耗品の少なくとも１つの残量が、消耗品に応じて予め定められた下限値に到達した状態、消耗品の少なくとも１つの使用量が、消耗品に応じて予め定められた上限値に到達した状態、交換部品の少なくとも１つの使用実績量が、交換部品に応じて予め定められた値（ただし寿命と判定される上限値より小さい値）に到達した状態の少なくとも１つの状態として、図７から図９、図１０及び図１１（ただし、図１０及び図１１の処理ルーチンにおいて、ステップ１００の判定に代えて、図７等を用いて説明したステップ１０２の判定を行い、ステップ１０２の後に、ステップ１０４に示すように印刷停止タイミングまで待って、ステップ１１０以降の処理を行う）の処理ルーチンを行うようにしてもよい。
【０１１４】
また、上記各実施の形態では、上記各処理ルーチンをＣＰＵ２０がプログラムを実行することにより（すなわち、ソフトウェアで）実行するようにしたが、ハードウェアで同様の機能を実現するようにしてもよい。
【符号の説明】
【０１１５】
１０  メインコントローラ
１１  印刷装置
１２  第１の印刷部
１３  第２の印刷部
２０  ＣＰＵ
２１  ＲＯＭ
２２  ＲＡＭ
２３  ＩＦ
２４  画像処理部
２５  ＨＤＤ
２６  表示部
２７  操作部
３０  ＩＦ
３１  制御部
３２  画像形成部
３３  用紙搬送部
３４  検知部
３５  ＵＩ
３６  切替器
４０  搬入口
４２  搬出口
４４  第１の搬送経路
４６  反転搬送経路
４８  第２の搬送経路
５０  給紙部
５２  排紙部
【図１】
2011203870.tif 000003
【図２】
2011203870.tif 000004
【図３】
2011203870.tif 000005
【図４】
2011203870.tif 000006
【図５】
2011203870.tif 000007
【図６】
2011203870.tif 000008
【図７】
2011203870.tif 000009
【図８】
2011203870.tif 000010
【図９】
2011203870.tif 000011
【図１０】
2011203870.tif 000012
【図１１】
2011203870.tif 000013
【図１２】
2011203870.tif 000014
【図１３】
2011203870.tif 000015